(57)【要約】【課題】  コンテンツデータを伝送する２台の装置間での伝送が、用意された通信手段を最大限に活用して良好に行えるようにする。【解決手段】  所定のコンテンツを受信して、その受信したコンテンツを複数のネットワークのいずれかを介して送信するベース装置２００と、ベース装置からいずれかのネットワークを介して送信されたコンテンツを受信し、受信したコンテンツを表示させる受信装置１００との間での送受信制御を行う場合に、コンテンツの伝送に介在するネットワークの切断を検出する検出処理を行い、検出処理でネットワークの切断が検出されたとき、ネットワークの切断を表示させるとともに、複数のネットワークのうちで切断が表示された以外の接続可能な特定のネットワークを選択させる表示を行い、その表示に基づいて選択された特定のネットワークへの接続を指示するネットワーク接続処理とを行う。【選択図】      図１ 
2005175814.tif 000002
【特許請求の範囲】
【請求項１】
所定のコンテンツを受信する受信手段と受信した上記コンテンツを複数のネットワークのいずれかを介して送信する送信手段とを有するベース装置と、
上記いずれかのネットワークを介して上記コンテンツを受信し、受信したコンテンツを視聴するための表示手段を有する受信装置とからなる送受信システムにおいて、
上記受信装置は、上記コンテンツの伝送に介在するネットワークの切断を検出する検出手段と、
上記検出手段によりネットワークの切断が検出されたとき、ネットワークの切断を上記表示手段に表示させるとともに、上記複数のネットワークのうちで切断が表示された以外の接続可能な特定のネットワークを選択させる表示を行い、その表示に基づいて選択された特定のネットワークへの接続を指示する制御手段とを備えた
送受信システム。
【請求項２】
請求項１記載の送受信システムにおいて、
上記ベース装置は、上記受信装置の制御手段での特定のネットワークへの接続の指示に基づいて、特定のネットワークで上記受信装置との間の特定のネットワークでの接続処理を実行するネットワーク制御手段を備えた
送受信システム。
【請求項３】
請求項１記載の送受信システムにおいて、
上記ベース装置のネットワーク制御手段は、指示のあった受信装置の認証を行い、認証処理で予め登録された受信装置からの指示であると判断した場合に、接続処理を行う
送受信システム。
【請求項４】
請求項１記載の送受信システムにおいて、
上記複数のネットワークは、有線ＬＡＮ及び無線ＬＡＮである
送受信システム。
【請求項５】
請求項１記載の送受信システムにおいて、
上記受信装置の制御手段は、上記複数のネットワークのうちで切断が表示された以外の接続可能な特定のネットワークを選択させる表示を行わずに、自動的に特定のネットワークを選定して接続を指示する
送受信システム。
【請求項６】
所定のコンテンツを受信して、その受信したコンテンツを複数のネットワークのいずれかを介して送信するベース装置と、
上記ベース装置からいずれかのネットワークを介して送信されたコンテンツを受信し、受信したコンテンツを表示させる受信装置との間での送受信制御方法において、
上記コンテンツの伝送に介在するネットワークの切断を検出する検出処理を行い、
上記検出処理でネットワークの切断が検出されたとき、ネットワークの切断を表示させるとともに、上記複数のネットワークのうちで切断が表示された以外の接続可能な特定のネットワークを選択させる表示を行い、その表示に基づいて選択された特定のネットワークへの接続を指示するネットワーク接続指示処理とを行う
送受信制御方法。
【請求項７】
請求項６記載の送受信制御方法において、
上記検出処理及びネットワーク接続指示処理は、上記受信装置側で行い、上記受信装置でのネットワーク接続指示処理に基づいて、上記ベース装置で指示された特定のネットワークでの接続処理を実行する
送受信制御方法。
【請求項８】
請求項７記載の送受信制御方法において、
上記特定のネットワークの接続処理として、受信装置の認証を行い、認証処理で予め登録された受信装置からの指示であると判断した場合に、接続処理を行う
送受信制御方法。
【請求項９】
請求項６記載の送受信制御方法において、
上記複数のネットワークは、有線ＬＡＮ及び無線ＬＡＮである
送受信制御方法。
【請求項１０】
請求項６記載の送受信制御方法において、
上記複数のネットワークのうちで切断が表示された以外の接続可能な特定のネットワークを選択させる表示を行わずに、自動的に特定のネットワークを選定して接続を指示する
送受信制御方法。
【発明の詳細な説明】
【技術分野】
【０００１】
本発明は、例えば映像，音声で構成されるコンテンツを視聴する場合に適用して好適な送受信システム及び送受信制御方法に関し、特にコンテンツデータを中継するベース装置と、そのベース装置からのデータを受信する受信装置とで構成されるシステムに適用される技術に関する。
【背景技術】
【０００２】
従来、テレビジョン放送などのコンテンツを視聴する際には、テレビジョン受像機にチューナを内蔵させて、そのチューナで受信したデータを、受像機で表示させるのが一般的であった。このため、テレビジョン受像機にアンテナ線を接続する必要があり、受像機の持ち運びなどが制限されてしまう。
【０００３】
この問題点を解決するテレビジョン受像機として、チューナなどの受信手段を内蔵したベース装置と、映像の表示などを行うモニタ装置とを別体とした送受信システムを本出願人は先に開発した。特許文献１には、このベース装置とモニタ装置で構成される送受信システムについての記載がある。
【０００４】
この送受信システムの場合、ベース装置とモニタ装置との間は、無線ＬＡＮ（Local Area Network：構内情報通信網）の規格であるＩＥＥＥ（The Institute of Electrical and Electronics Engineers ）８０２．１１方式の規格を採用して、無線通信を行うようにしてある。従って、モニタ装置にはアンテナ線やビデオ再生装置などの映像信号源を接続する必要がなく、ベース装置と通信できる範囲内であれば、自由に持ち運びができる。また、ベース装置側でインターネットに接続する機能があれば、インターネットを経由してダウンロードした映像や音声などのコンテンツを、持ち運び自由なモニタ装置で視聴できる。なお、以下の説明では、テレビジョン放送，インターネットなどいずれの形態で受信したり再生したものであっても、モニタ装置で視聴する映像や音声のコンテンツを、ＡＶコンテンツと称する。
【特許文献１】特開２００２−３３７１４号公報
【発明の開示】
【発明が解決しようとする課題】
【０００５】
ところで、上述した送受信システムの場合、ベース装置とモニタ装置との間のデータ伝送が無線であるので、モニタ装置が持ち運び自由なメリットがある反面、そのときの環境や両装置間の距離などによって無線通信状態が不安定になる場合があり、常時安定してＡＶコンテンツの視聴が行えるとは言えなかった。
【０００６】
この問題点を解決するためには、例えば、ベース装置とモニタ装置との間を有線で接続させて、有線でＡＶコンテンツのデータを伝送することが考えられるが、有線接続して常時有線でＡＶコンテンツのデータを伝送するようにすると、無線通信のための構成が無駄になってしまう。
【０００７】
また、１つのシステムで無線通信と有線通信の双方が可能な構成となっていても、実際にベース装置とモニタ装置との間でＡＶコンテンツのデータを伝送させる際には、初期設定などでモード設定を行って、無線通信で伝送するモードであるのか、或いは有線通信で伝送するモードであるかを選択する必要があり、一度モードを決めてしまうと、通信途中で伝送状態が不安定になっても、初期設定メニューを呼び出して、再度設定をしないと、別のモードへの変更は不可能であり、２つの通信モードを適応的に選択するようなことは不可能であった。
【０００８】
本発明はかかる点に鑑みてなされたものであり、コンテンツデータを伝送する２台の装置間での伝送が、用意された通信手段を最大限に活用して良好に行えるようにすることを目的とする。
【課題を解決するための手段】
【０００９】
本発明は、所定のコンテンツを受信して、その受信したコンテンツを複数のネットワークのいずれかを介して送信するベース装置と、ベース装置からいずれかのネットワークを介して送信されたコンテンツを受信し、受信したコンテンツを表示させる受信装置との間での送受信制御を行う場合に、コンテンツの伝送に介在するネットワークの切断を検出する検出処理を行い、検出処理でネットワークの切断が検出されたとき、ネットワークの切断を表示させるとともに、複数のネットワークのうちで切断が表示された以外の接続可能な特定のネットワークを選択させる表示を行い、その表示に基づいて選択された特定のネットワークへの接続を指示するネットワーク接続処理とを行うようにしたものである。
【００１０】
このようにしたことで、いずれかのネットワークでコンテンツを伝送中に、そのネットワークでの伝送ができない状況になったとき、自動的に他のネットワークでの接続を行うための表示が行われて、その表示に基づいた操作を行うだけで、直ちに別のネットワークで接続されて、コンテンツの伝送が再開されるようになる。
【発明の効果】
【００１１】
本発明によると、いずれかのネットワークでコンテンツを伝送中に、そのネットワークでの伝送ができない状況になったとき、自動的に他のネットワークでの接続を行うための表示が行われて、その表示に基づいた操作を行うだけで、直ちに別のネットワークで接続されて、コンテンツの伝送が再開されるようになり、使用するネットワークを選択するための初期設定などを行うことなく、自動的に適切なネットワークを介してコンテンツが伝送できるようになる。
【００１２】
この場合、ネットワークの切断の検出処理及びネットワーク接続の指示処理は、受信装置側で行い、受信装置でのネットワーク接続指示処理に基づいて、ベース装置で指示された特定のネットワークでの接続処理を実行するようにしたことで、受信装置での実際の受信状態の検出と指示に基づいて、ベース装置側でネットワークの管理が良好に行えるようになる。
【００１３】
また、ベース装置側での特定のネットワークの接続処理として、受信装置の認証を行い、認証処理で予め登録された受信装置からの指示であると判断した場合に、接続処理を行うようにしたことで、ネットワークの切り換わり時であっても、正しく認証された機器との間でだけコンテンツの伝送が行われ、誤動作を効果的に防止できる。
【００１４】
また、複数のネットワークは、有線ＬＡＮ及び無線ＬＡＮであることで、無線のネットワークと有線のネットワークとを効率良く組み合わせることが可能になる。
【００１５】
また、複数のネットワークのうちで切断が表示された以外の接続可能な特定のネットワークを選択させる表示を行わずに、自動的に特定のネットワークを選定して接続を指示することで、全くユーザ操作を行うことなくネットワーク切断に対する対処が行えるようになる。
【発明を実施するための最良の形態】
【００１６】
以下、本発明の一実施の形態を、図１〜図１３を参照して説明する。
図１は、本例のシステム構成例を示した図である。本例においては、テレビジョン放送の受信やインターネットを介したコンテンツのダウンロードなどを行うベース装置２００と、そのベース装置２００に対して着脱自在に構成されたモニタ装置１００とで構成されるシステムとしてある。この場合、モニタ装置１００とベース装置２００との間は、複数のネットワークで通信接続が行われる構成としてある。具体的には、無線通信ａによるコンテンツデータの伝送と、ＬＡＮケーブル９０で接続させた経路を使用した有線通信によるコンテンツデータの伝送とが可能である。
【００１７】
無線通信ａとしては、例えば、２．４ＧＨｚ帯の無線通信を行って、ＩＥＥＥ８０２．１１規格の無線ＬＡＮによる通信ネットワークを構成させて通信を行うものとし、例えば最大で数十ｍから１００ｍ程度の距離までの範囲（但し屋内では到達距離は短くなる）で無線通信を行うものとする。ＬＡＮケーブルによる有線通信としては、各種有線ＬＡＮによる通信ネットワークを構成させて通信を行うものとし、最大で数十ｍ程度の伝送距離を想定する。また、モニタ装置１００とベース装置２００とは、無線ＬＡＮ通信、有線ＬＡＮ通信のいずれを行う場合にも、相手の機器を認識する認証処理を行って、予め登録された相手とだけを通信を行うようにしてあり、例えばモニタ装置１００が別のシステムのベース装置と直接通信を行うことはないようにしてある。
【００１８】
まず、モニタ装置１００の構成例について説明する。図２は本例のモニタ装置の形状を示した図であり、図５のＡは、モニタ装置１００をスタンドによって自立させた状態を示し、図５のＢは、モニタ装置１００をベース装置２００に取付けた状態を破線で示す。
【００１９】
図２に示すように、モニタ装置１００の正面には、映像表示部としての液晶ディスプレイ（ＬＣＤ）１０１が設けられ、その表示画面上には、タッチパネル１０２が設けられ、ＬＣＤ１０１の左右には、スピーカ１０７，１０８が設けられている。モニタ装置１００の正面の右側部分には、スピーカ１０８の下部に、各種操作ボタン１０９が配置してある。また、モニタ装置１００の上部には、タッチペン収納部１０６が用意してあり、画面上を触れるためのタッチペン１０が収納される。
【００２０】
また本例のモニタ装置には、メモリカードを挿入するカードスロット１０５が用意してある。また、図１に示したＬＡＮケーブル９０を接続するためのＬＡＮ端子１８５が設けてある。さらに、モニタ装置の内部には、ベース装置との間の通信用のアンテナ（後述するアンテナ１８３）が内蔵させてある。
【００２１】
また本例のモニタ装置１００の背面には、モニタ装置１００を自立させるためのスタンド１０３が開閉可能に取付けてある。なお、このモニタ装置１００には、二次電池が内蔵されて、二次電池で動作用の電源の供給が行える。
【００２２】
図３及び図４は、本例のベース装置２００の構成例を示した図である。ベース装置２００は、正面部２１０と後方部２２０を接合して一体化した構造とされ、正面部２１０の左右位置には、モニタ装置１００との間の無線通信用のアンテナ２０７，２０８が配置してある。
【００２３】
正面部２１０は、後方側に若干傾いた形状とされ、その中央下部に、モニタ装置１００をベース装置２００に立て掛けるための支持体２１１を設けてある。また図４に示すように、後方部２３０の背面下部には、電源ボタン２３１、ＡＣパワーアダプタ接続用の端子２３２、アンテナ線を接続するためのＶＨＦ／ＵＨＦ端子２３９、電話回線端子２４１、ＬＡＮ端子２４２、ＡＶマウスと称される赤外線信号発光ユニット接続用の端子２４３，２４４、Ｓ映像入力端子２４５、映像音声入力端子２４６，２４７、映像音声出力端子２４８、プリンタなどの外部機器を接続するためのＵＳＢ端子２４９などを備える。
【００２４】
このように構成されるモニタ装置１００及びベース装置２００は、例えば、ユーザはベース装置２００を居間などの場所に固定的に設置し、モニタ装置１００を住居内や庭などの任意の場所に持ち運んで、任意の場所で手元のモニタ装置１００によって、テレビジョン放送などのＡＶコンテンツの視聴ができる。また、インターネットへのアクセスや、電子メールの送受信などもベース装置２００を介して実行できる。
【００２５】
この場合、モニタ装置１００を手に持って使用することもできるが、図５Ａに示すように、スタンド１０３を開いて、モニタ装置１００を適当な面の上に自立させることもできる。
【００２６】
また図５Ｂに破線で示すように、モニタ装置１００をベース装置２００の正面部２１０に立て掛けて使用することもできる。この場合には、モニタ装置１００の底面の充電端子が、ベース装置２００側の充電端子（いずれの充電端子も図示せず）に接触して、モニタ装置１００内の二次電池を、ベース装置２００からの電源で充電することができる。
【００２７】
次に、図６を参照して、本例のモニタ装置１００の機能ブロック構成について説明する。モニタ装置１００の制御部１７０は、制御手段である中央制御ユニット（ＣＰＵ）１７１と、この機器で実行するプログラムが書き込まれたＲＯＭ１７２と、ＣＰＵ１７１のワークエリア等として使用されるＲＡＭ１７３とで構成される。後述する通信ネットワークの切換え処理などを実行するプログラムについても、ＲＯＭ１７２に書き込ませてある。バスライン１７４には、画像ファイルなどのユーザデータが書き込まれるユーザメモリ１７５が接続されると共に、図２に示したスロット１０５に装着されたメモリカード１４１が接続される。
【００２８】
またバスライン１７４には、通信選択部１８１を介して無線ＬＡＮ通信部１８２と有線ＬＡＮ通信部１８４とが接続され、ベース装置２００などに送信されるべきコマンドや各種データが、無線ＬＡＮ通信部１８２又は有線ＬＡＮ通信部１８４で送信処理されて、無線送信時には、アンテナ１８３から無線送信され、有線送信時には、ＬＡＮ端子１８５に接続されたケーブルで送信される。また、無線ＬＡＮ通信部１８２で受信したデータ又は有線ＬＡＮ通信部１８４で受信したデータが、バスライン１７４に送出される。無線ＬＡＮ通信部１８２と有線ＬＡＮ通信部１８４のいずれを使用して通信を行うかは、制御部１７０からの指令に基づいて通信選択部１８１で設定される。
【００２９】
またバスライン１７４には、表示制御部１９１を介してＬＣＤ１０１が接続されると共に、デジタル／アナログ変換器１９５及び増幅器１９６を介してスピーカ１０７，１０８が接続される。
【００３０】
さらに、タッチパネル１０２が、座標検出部１９３を介してバスライン１７４に接続されると共に、操作部１０９がインターフェース１９９を介してバスライン１７４に接続される。
【００３１】
次に、図７を参照して、本例のベース装置２００の機能ブロック構成について説明する。ベース装置２００の制御部２７０は、制御手段である中央制御ユニット（ＣＰＵ）２７１と、この機器で実行するプログラムが書き込まれたＲＯＭ２７２と、ＣＰＵ２７１のワークエリア等として使用されるＲＡＭ２７３とで構成される。後述する通信ネットワークの切換え処理などを実行するプログラムについても、ＲＯＭ２７２に書き込ませてある。
【００３２】
アンテナ線の接続端子であるＶＨＦ／ＵＨＦ端子２３９には、アンテナ線を介してＶＨＦ／ＵＨＦアンテナ１が接続され、アンテナ１で受信した地上波テレビジョン放送出力が、ベース装置２００内のＶＨＦ／ＵＨＦチューナ２５９で選局復調され、映像データ及び音声データが取り出されて、バスライン２７４に送出される。
【００３３】
回線インターフェース２６１が接続された回線端子２４１には、電話回線２が接続され、回線インターフェース２６１はモデム２６２を介してバスライン２７４と接続される。この電話回線２を経由することで、インターネットなどに接続することが可能である。なお、電話回線ではなく、ＡＤＳＬ（Asymmetric Digital Subscriber Line）などの他のインターネット接続用の回線と接続できる端子やインターフェース，モデムを用意しても良い。
【００３４】
映像音声入力端子２４６には、第１外部機器６として、例えばデジタルＣＳ放送チューナやデジタルＢＳチューナなどが接続され、これらの機器から供給される映像データ及び音声データが、ベース装置２００内の外部入力インターフェース２６６を介してバスライン２７４に送出される。
【００３５】
映像音声入力端子２４７には、第２外部機器７として、例えばＤＶＤプレーヤやハードディスクレコーダなどが接続され、これらの機器から供給される映像データ及び音声データが、ベース装置２００内の外部入力インターフェース２６７を介してバスライン２７４に送出される。
【００３６】
端子２４３及び２４４には、赤外線信号発光装置であるＡＶマウス３及び４が接続される。この端子２４３及び２４４は、ベース装置２００内のインターフェース２６３及び２６４を介してバスライン２７４に接続され、制御部２７０からのコマンド信号によって、ＡＶマウス３及び４の発光部から送信された赤外線信号としてのリモートコントロール信号が、第１外部機器６及び第２外部機器７に設けられた受光部で受信されることによって、第１外部機器６及び第２外部機器７がベース装置２００側で遠隔制御できる。
【００３７】
ＵＳＢ（Universal Serial Bus）端子２４９には、例えばプリンタ９が接続され、バスライン２７４に送出された印刷用のコマンド及びデータが、ＵＳＢインターフェース２６９を介してプリンタ９に供給される。
【００３８】
またバスライン２７４には、通信選択部２８１を介して無線ＬＡＮ通信部２８２と有線ＬＡＮ通信部２８３とが接続され、モニタ装置１００などに送信されるべきコマンドや各種データが、無線ＬＡＮ通信部２８２又は有線ＬＡＮ通信部２８３で送信処理されて、無線送信時には、アンテナ２０７，２０８から無線送信され、有線送信時には、ＬＡＮ端子２４２に接続されたケーブルで送信される。また、無線ＬＡＮ通信部２８２で受信したデータ又は有線ＬＡＮ通信部２８３で受信したデータが、バスライン２７４に送出される。無線ＬＡＮ通信部２８２と有線ＬＡＮ通信部２８３のいずれを使用して通信を行うかは、制御部２７０からの指令に基づいて通信選択部２８１で設定される。
【００３９】
次に、このように構成されるモニタ装置１００とベース装置２００を使用して、ＡＶコンテンツを視聴する際の本例の処理例について説明する。まず、モニタ装置１００とベース装置２００との間で、それぞれの無線ＬＡＮ通信部１８２，２８２を使用して双方向で無線通信を行って、ベース装置２００側からＡＶコンテンツのデータをモニタ装置１００に伝送させて、モニタ装置１００で視聴している状況であるとする。このとき、本例のモニタ装置１００の制御部１７０では、コンテンツデータの受信に関する処理として、図８のフローチャートに示す処理を実行する。即ち、ＡＶコンテンツを視聴中に、何らかの要因で、無線ＬＡＮのネットワークによる接続が切断されたか否か判断する（ステップＳ１１）。ここで、無線ＬＡＮのネットワークの切断がない場合には、この判断を繰り返し行う。無線ＬＡＮの切断がない限りは、無線伝送でＡＶコンテンツが受信でき、モニタ装置１００での視聴が継続して可能である。
【００４０】
そして、何らかの通信障害が発生して、ステップＳ１１で無線ＬＡＮのネットワークによる接続が切断されたと判断したとき、端子１８５にＬＡＮケーブルの接続があるか否か判断する（ステップＳ１２）。このＬＡＮケーブルの接続の判断は、例えばケーブルを介した何らかの信号の送信や受信から判断する。或いは、何らかのスイッチで端子へのプラグの装着を物理的に検出しても良い。ここで、ＬＡＮケーブルの接続がない場合には、ＡＶコンテンツの視聴の中止処理を行う（ステップＳ１９）。ここで、ステップＳ１９の処理の代わりに、無線ＬＡＮで再接続を試みる処理を行う実現方法でもよい。
【００４１】
そして、ステップＳ１２で、ＬＡＮケーブルの接続があると判断した場合には、モニタ装置１００のＬＣＤ１０１で構成される表示画面上に、有線ＬＡＮへの変更のダイアログボックスを表示させる（ステップＳ１３）。例えば図１０に示すように、「無線ＬＡＮが切断されました。有線ＬＡＮで接続しますか。」との文章の表示と、「ＯＫ」，「キャンセル」のボタン表示とを行う。このボタン表示された箇所を、例えば図２に示したタッチペン１０で触れることで、ユーザがいずれかの回答をすることが可能である。
【００４２】
制御部１７０では、このダイアログボックスに対する回答があるまで待機し（ステップＳ１４）、回答があると、ネットワークの変更に承諾する回答（即ち「ＯＫ」が押された場合）があるか否か判断する（ステップＳ１５）。変更に承諾しない回答（即ち「キャンセル」が押された場合）には、ステップＳ１９に移って、ＡＶコンテンツの視聴の中止処理を行う。ここで、ステップＳ１９の処理の代わりに、無線ＬＡＮで再接続を試みる処理を行う実現方法でもよい。ネットワークの変更に承諾する回答がある場合には、制御部１７０の制御に基づいて、通信選択部１８１で有線ＬＡＮ通信部１８４を使用した通信に切換えさせ、有線ＬＡＮ通信部１８４を使用した有線での通信で、ベース装置２００への認証用のデータを送信させて、有線ＬＡＮ接続のための認証処理を開始させる（ステップＳ１６）。その後、ベース装置２００から、有線ＬＡＮ通信部１８４に認証を承諾する通知が伝送されるか否か判断し（ステップＳ１７）、該当する承諾の通知が伝送された場合、有線ＬＡＮ接続が完了したものとして、有線ＬＡＮ通信部１８４でベース装置２００から伝送されるＡＶコンテンツのデータの視聴を再開させる（ステップＳ１８）。ステップＳ１７で承諾の通知が伝送されない場合には、有線ＬＡＮによるネットワークの接続が完了しないので、ステップＳ１９に移って、ＡＶコンテンツの視聴の中止処理を行う。ここで、ステップＳ１９の処理の代わりに、無線ＬＡＮで再接続を試みる処理を行う実現方法でもよい。
【００４３】
次に、ベース装置２００側からＡＶコンテンツのデータをモニタ装置１００に無線ＬＡＮで無線伝送させて、モニタ装置１００で視聴している状況での、ベース装置２００での処理例を、図９のフローチャートを参照して説明する。ベース装置２００の無線ＬＡＮ通信部２８２でコンテンツデータを送信処理している状況では、端子２４２にＬＡＮケーブルの接続があるか否か判断する（ステップＳ２１）。このＬＡＮケーブルの接続の判断は、例えばケーブルを介した何らかの信号の送信や受信から判断する。或いは、何らかのスイッチで端子へのプラグの装着を物理的に検出しても良い。
【００４４】
そして、接続を判断した有線ＬＡＮを経由して、有線ＬＡＮ通信部２８３で、モニタ装置側からの認証要求があるか否か判断する（ステップＳ２２）。認証要求がない場合には、ステップＳ２１での有線ＬＡＮの接続判断に戻る。認証要求がある場合には、受信したモニタ装置のシリアル番号を制御部２７０が判断し、予め制御部２７０内のＲＯＭ２７２に記憶された通信を行う相手のシリアル番号と一致するか否か判断する（ステップＳ２３）。シリアル番号が一致しない場合には、このベース装置２００でＡＶコンテンツをモニタ装置１００側に送信する処理を中止させて、ＡＶコンテンツの視聴処理を中止させる（ステップＳ２６）。ここで、ステップＳ２６の処理の代わりに、認証ＮＧでモニタに通知し、Ｓ２１にもどる実現方法でもよい。
【００４５】
そして、シリアル番号が一致した場合には、認証処理を完了させて、認証が正しく行われたことを、有線ＬＡＮの通信でモニタ装置１００側に通知し（ステップＳ２４）、有線ＬＡＮのネットワークでの接続を完了させて、ＡＶコンテンツのデータの送信処理を行う通信部を、無線ＬＡＮ通信部２８２から有線ＬＡＮ通信部２８３に切換えさせて、有線ＬＡＮでの伝送を開始させて、ＡＶコンテンツのモニタ装置１００への伝送を再開させる（ステップＳ２５）。
【００４６】
次に、モニタ装置１００とベース装置２００との間で、それぞれの有線ＬＡＮ通信部１８４，２８３を使用して双方向で有線通信を行って、ベース装置２００側からＡＶコンテンツのデータをモニタ装置１００に伝送させて、モニタ装置１００で視聴している状況での処理について説明する。このとき、本例のモニタ装置１００の制御部１７０では、コンテンツデータの受信に関する処理として、図１１のフローチャートに示す処理を実行する。即ち、ＡＶコンテンツを視聴中に、何らかの要因で、有線ＬＡＮのネットワークによる接続が切断されたか否か判断する（ステップＳ３１）。ここで、有線ＬＡＮのネットワークの切断がない場合には、この判断を繰り返し行う。有線ＬＡＮのネットワークの切断とは、例えばケーブルが外されたり、接続状態が不良になる等が想定される。有線ＬＡＮの切断がない限りは、有線伝送でＡＶコンテンツが受信でき、モニタ装置１００での視聴が継続して可能である。
【００４７】
そして、何らかの通信障害が発生した場合には、モニタ装置１００のＬＣＤ１０１で構成される表示画面上に、無線ＬＡＮへの変更のダイアログボックスを表示させる（ステップＳ３２）。例えば図１３に示すように、「有線ＬＡＮが切断されました。無線ＬＡＮで接続しますか。」との文章の表示と、「ＯＫ」，「キャンセル」のボタン表示とを行う。このボタン表示された箇所を、例えば図２に示したタッチペン１０で触れることで、ユーザがいずれかの回答をすることが可能である。
【００４８】
制御部１７０では、このダイアログボックスに対する回答があるまで待機し（ステップＳ３３）、回答があると、ネットワークの変更に承諾する回答（即ち「ＯＫ」が押された場合）があるか否か判断する（ステップＳ３４）。変更に承諾しない回答（即ち「キャンセル」が押された場合）には、ステップＳ３８に移って、ＡＶコンテンツの視聴の中止処理を行う。ここで、ステップＳ３８の処理の代わりに、有線ＬＡＮで再接続を試みる処理を行う実現方法でもよい。ネットワークの変更に承諾する回答がある場合には、制御部１７０の制御に基づいて、通信選択部１８１で無線ＬＡＮ通信部１８２を使用した通信に切換えさせ、無線ＬＡＮ通信部１８２を使用した無線での通信で、ベース装置２００への認証用のデータを送信させて、無線ＬＡＮ接続のための認証処理を開始させる（ステップＳ３５）。その後、ベース装置２００から、無線ＬＡＮ通信部１８２に認証を承諾する通知が伝送されるか否か判断し（ステップＳ３６）、該当する承諾の通知が伝送された場合、無線ＬＡＮ接続が完了したものとして、無線ＬＡＮ通信部１８２でベース装置２００から伝送されるＡＶコンテンツのデータの視聴を再開させる（ステップＳ３７）。ステップＳ３６で承諾の通知が伝送されない場合には、無線ＬＡＮによるネットワークの接続が完了しないので、ステップＳ３８に移って、ＡＶコンテンツの視聴の中止処理を行う。ここで、ステップＳ３８の処理の代わりに、有線ＬＡＮで再接続を試みる処理を行う実現方法でもよい。
【００４９】
次に、ベース装置２００側からＡＶコンテンツのデータをモニタ装置１００に有線ＬＡＮで有線伝送させて、モニタ装置１００で視聴している状況での、ベース装置２００での処理例を、図１２のフローチャートを参照して説明する。ベース装置２００の有線ＬＡＮ通信部２８３でコンテンツデータを送信処理している状況で、無線ＬＡＮ通信部２８２で、モニタ装置側からの認証要求があるか否か判断し（ステップＳ４１）、認証要求があるまで待機する。認証要求がある場合には、受信したモニタ装置のシリアル番号を制御部２７０が判断し、予め制御部２７０内のＲＯＭ２７２に記憶された通信を行う相手のシリアル番号と一致するか否か判断する（ステップＳ４２）。シリアル番号が一致しない場合には、このベース装置２００でＡＶコンテンツをモニタ装置１００側に送信する処理を中止させて、ＡＶコンテンツの視聴処理を中止させる（ステップＳ４５）。ここで、ステップＳ４５の処理の代わりに、認証ＮＧでモニタに通知し、Ｓ４１にもどる実現方法も考えられる。
【００５０】
そして、シリアル番号が一致した場合には、認証処理を完了させて、認証が正しく行われたことを、無線ＬＡＮの通信でモニタ装置１００側に通知し（ステップＳ４３）、無線ＬＡＮのネットワークでの接続を完了させて、ＡＶコンテンツのデータの送信処理を行う通信部を、有線ＬＡＮ通信部２８３から無線ＬＡＮ通信部２８２に切換えさせて、無線ＬＡＮでの伝送を開始させて、ＡＶコンテンツのモニタ装置１００への伝送を再開させる（ステップＳ４４）。
【００５１】
このように本例のシステムによると、テレビジョン放送などのＡＶコンテンツをモニタ装置１００で視聴中に、そのコンテンツデータを伝送しているネットワークに障害があった場合、自動的に別のネットワークへの接続を問い合わせる表示が画面上に行われ、その問い合わせの結果に基づいて自動的に別のネットワークに接続されるので、従来のように、初期設定などを行うメニュー画面などを表示させて、接続するネットワークの変更などを一々行わなくても、接続可能なネットワークを使用して迅速に伝送が再開される。従って、伝送障害発生時に容易に対処できるようになり、中断を最小限に抑えてシームレスにＡＶコンテンツを視聴できるようになる。
【００５２】
なお、上述した実施の形態では、接続中のネットワークが切断した際に、モニタ装置１００の画面に、別の接続可能な特定のネットワークに変更させることを示すダイアログボックスを表示させて、その表示の回答を待って、その特定のネットワークに変更させるようにしたが、ネットワーク切断時に、このようなダイアログボックスの表示を行わずに、別の接続可能な特定のネットワークを選定して、その選定したネットワークへの接続処理を直ちに行うようにしても良い。
【００５３】
また、図１に示したシステム構成では、無線，有線いずれのＬＡＮについても、モニタ装置１００とベース装置２００とが直接通信を行うものとしたが、それぞれのＬＡＮで、何らかの中継装置を介して通信を行うようにしても良い。
【００５４】
例えば、図１４に示すように、インターネット９９に接続可能なルータ９８を用意して、そのルータ９８とＬＡＮケーブル９１でモニタ装置１００と接続すると共に、ルータ９８とＬＡＮケーブル９２でベース装置２００と接続する構成として、モニタ装置１００とベース装置２００との間の有線ＬＡＮでの通信については、ルータ９８を経由するようにしても良い。
【００５５】
また、この図１４に示す構成の場合、例えばモニタ装置１００が、有線ＬＡＮでのルータ９８との通信で、インターネット９９に直接接続（即ちベース装置２００を経由しないで接続）させて、ＡＶコンテンツのダウンロードなどを行っている状況である場合に、ケーブル９１に何らかの障害が発生して、モニタ装置１００とルータ９８との間の通信ができない状態になったときに、上述したネットワーク切換えと同様の処理を行って、モニタ装置１００とベース装置２００との無線ＬＡＮ通信を行って、ベース装置２００と接続させ、そのベース装置２００とＬＡＮケーブル９２を介したルータ９８との間の通信を行って、ベース装置２００を経由してインターネット９９に接続させるようにしても良い。
【００５６】
また、上述した実施の形態においては、ＡＶコンテンツを視聴するモニタ装置と、そのモニタ装置にコンテンツのデータを伝送するベース装置との間の伝送に適用したが、その他のネットワークに接続可能なシステムで、コンテンツデータ或いはその他の各種データを伝送する場合にも適用可能である。
【図面の簡単な説明】
【００５７】
【図１】本発明の一実施の形態によるシステム構成例を示す説明図である。
【図２】本発明の一実施の形態によるモニタ装置の構成例を示す平面図であり、Ａは正面図、Ｂは左側面図、Ｃは右側面図、Ｄは上面図である。
【図３】本発明の一実施の形態によるベース装置の構成例を示す平面図であり、Ａは正面図、Ｂは右側面図である。
【図４】本発明の一実施の形態によるベース装置の構成例を示した背面図である。
【図５】本発明の一実施の形態による使用例を示す説明図であり、Ａはモニタ装置単体の図、Ａはモニタ装置とベース装置を組み合わせた状態の図である。
【図６】本発明の一実施の形態によるモニタ装置の構成例を示すブロック図である。
【図７】本発明の一実施の形態によるベース装置の構成例を示すブロック図である。
【図８】本発明の一実施の形態による無線ＬＡＮ接続中のモニタ装置での処理例を示すフローチャートである。
【図９】本発明の一実施の形態による無線ＬＡＮ接続中のベース装置での処理例を示すフローチャートである。
【図１０】本発明の一実施の形態による表示例を示す説明図である。
【図１１】本発明の一実施の形態による有線ＬＡＮ接続中のモニタ装置での処理例を示すフローチャートである。
【図１２】本発明の一実施の形態による有線ＬＡＮ接続中のベース装置での処理例を示すフローチャートである。
【図１３】本発明の一実施の形態による表示例を示す説明図である。
【図１４】本発明の他の実施の形態によるシステム構成例を示す説明図である。
【符号の説明】
【００５８】
９０…ＬＡＮケーブル、１００…モニタ装置、１０１…液晶表示パネル（ＬＣＤ）、１０２…タッチパネル、１７０…制御部、１７１…中央制御ユニット（ＣＰＵ）、１８１…通信選択部、１８２…無線ＬＡＮ通信部、１８３…アンテナ、１８４…有線ＬＡＮ通信部、１８５…ＬＡＮ端子、２００…ベース装置、２０７，２０８…アンテナ、２４２…ＬＡＮ端子、２７０…制御部、２７１…中央制御ユニット（ＣＰＵ）、２８１…通信選択部、２８２…無線ＬＡＮ通信部、２８３…有線ＬＡＮ通信部
【図１】
2005175814.tif 000003
【図２】
2005175814.tif 000004
【図３】
2005175814.tif 000005
【図４】
2005175814.tif 000006
【図５】
2005175814.tif 000007
【図６】
2005175814.tif 000008
【図７】
2005175814.tif 000009
【図８】
2005175814.tif 000010
【図９】
2005175814.tif 000011
【図１０】
2005175814.tif 000012
【図１１】
2005175814.tif 000013
【図１２】
2005175814.tif 000014
【図１３】
2005175814.tif 000015
【図１４】
2005175814.tif 000016